(57)【要約】【課題】無線通信システムにおいて、ＦＳユーザとＦＮＳユーザの両方に適合可能な資源割り当てスキームおよび信号方式を提供すること。【解決手段】ＯＦＤＭ無線通信システムにおいて、ＦＳ（周波数選択性）ユーザおよびＦＮＳ（周波数非選択性）ユーザに資源を割り当てる方法は、ある時間間隔中に、少なくとも２つの近接するサブキャリアを含む第１の周波数資源を、少なくとも１つのＦＳユーザに割り当てることと、同じ時間間隔中に、各ＦＮＳユーザに対して少なくとも２つの不連続なサブキャリアを含む第２の周波数資源を、少なくとも１つのＦＮＳユーザに割り当てることとを含み、第１の周波数資源と第２の周波数資源は共通の周波数チャネルの一部である。【選択図】      図２
2007060642.tif 000002
【特許請求の範囲】
【請求項１】
ＯＦＤＭ無線通信システムのＦＳユーザおよびＦＮＳユーザに資源を割り当てる方法であって、
ある時間間隔中、少なくとも２つの近接するサブキャリアを含む第１の周波数資源を、少なくとも１つのＦＳユーザに割り当てること、
同じ時間間隔中、各ＦＮＳユーザに対して少なくとも２つの不連続なサブキャリアを含む第２の周波数資源を、少なくとも１つのＦＮＳユーザに割り当てること、
から成り、
前記第１の周波数資源と前記第２の周波数資源が共通の周波数チャネルの一部である、
方法。
【請求項２】
前記近接する２つのサブキャリアは隣接している、請求項１記載の方法。
【請求項３】
前記近接する２つのサブキャリアは１つ以下のサブキャリアによって分離されている、請求項１記載の方法。
【請求項４】
前記各ＦＮＳユーザに割り当てられる前記第２の周波数資源の少なくとも２つの不連続なサブキャリアは、前記共通の周波数チャネルの少なくとも４分の１によって分離されている、請求項１記載の方法。
【請求項５】
対応して割り当てられる前記第２の周波数資源上の前記各ＦＮＳユーザに対するチャネル符号化およびデータのインターリービングが行われる、請求項４記載の方法。
【請求項６】
前記第２の周波数資源を少なくとも１つのＦＮＳユーザに割り当てる前に、前記第１の周波数資源を少なくとも１つのＦＳユーザに割り当てる、請求項１記載の方法。
【請求項７】
少なくとも１つのＦＳユーザから受信した周波数信号品質情報報告に基づいて、前記第１の周波数資源を少なくとも１つのＦＳユーザに割り当てる、請求項６記載の方法。
【請求項８】
前記第２の周波数資源を少なくとも１つのＦＮＳユーザに割り当てる前に、前記第１の周波数資源をすべてのＦＳユーザに割り当てる、請求項６記載の方法。
【請求項９】
複数のＦＳユーザのそれぞれに前記第１の周波数資源を割り当て、
前記第１の周波数資源を前記複数のＦＳユーザのそれぞれに割り当てた後に、前記第２の周波数資源を少なくとも１つのＦＮＳユーザに割り当てる、請求項１記載の方法。
【請求項１０】
前記第１の周波数資源を少なくとも１つのＦＳユーザに割り当てる前に、前記第２の周波数資源を少なくとも１つのＦＮＳユーザに割り当てる、請求項１記載の方法。
【請求項１１】
前記第２の周波数資源を、周波数ダイバーシティを改善する方法で少なくとも１つのＦＮＳユーザに割り当てる、請求項１０記載の方法。
【請求項１２】
無線通信ネットワークのＦＳユーザおよびＦＮＳユーザにサブチャネルを割り当てる制御チャネル構成であって、
少なくとも１つのＦＳユーザを識別するＦＳユーザ割り当てブロックと、
少なくとも１つのＦＮＳユーザを識別するＦＮＳユーザ割り当てブロックと、
各ＦＮＳユーザに割り当てられる第１の固有のサブチャネルと、
前記各ＦＮＳユーザに割り当てられる多くの固有のサブチャネルと、
前記各ＦＮＳユーザに対するサブチャネルスキップ係数と、
を備え、
割り当てを持つ前記ＦＳユーザ割り当てブロックおよび前記ＦＮＳユーザ割り当てブロックが共通の時間間隔を占める、
制御チャネル構成。
【請求項１３】
各ＦＳユーザに割り当てられる少なくとも１つのサブチャネルを含む第１の固有のリストを備え、
前記各ＦＳユーザに割り当てられる各サブチャネルが少なくとも２つの近接するサブキャリアを含む、
請求項１２記載の構成。
【請求項１４】
ＦＳ資源を識別する領域をさらに含む、請求項１２記載の構成。
【請求項１５】
前記構成は、前記ＦＳユーザおよびＦＮＳユーザが共に資源を配分されたかどうかを示す領域を含む、請求項１２記載の構成。
【請求項１６】
前記各ＦＮＳユーザに割り当てられる各サブチャネルは、少なくとも１つのサブキャリアを含み、
前記各ＦＮＳユーザに割り当てられるサブチャネルは、前記ＦＳユーザに割り当てられなかったサブチャネルの群から選択される、請求項１２記載の構成。
【請求項１７】
前記各ＦＮＳユーザに対して、前記第１の固有のサブチャネル、前記多くの固有のサブチャネル、および前記サブチャネルスキップ係数がツリー構造に配置される、請求項１２記載の構成。
【請求項１８】
無線通信ネットワークのＦＳユーザおよびＦＮＳユーザにサブチャネルを割り当てる制御チャネル構成を生成する方法であって、
サブチャネルを任意のＦＮＳユーザに割り当てる前に、一群のサブチャネルから少なくとも１つの固有のサブチャネルを各ＦＳユーザに割り当てること、
第１の固有のサブチャネル、多くの固有のサブチャネル、およびサブチャネルスキップ係数を各ＦＮＳユーザに割り当てること、
から成り、
前記各ＦＮＳユーザに割り当てられるサブチャネルは、ＦＳユーザへのサブチャネルの割り当ての後に残った一群のサブチャネルから選択される、
方法。
【請求項１９】
前記ＦＳユーザへのサブチャネルの割り当ての後に残ったサブチャネルの群に再番号付けを行い、
前記再番号付けされたサブチャネルに基づいて、前記第１の固有のサブチャネル、前記多くの固有のサブチャネル、および前記サブチャネルスキップ係数を前記各ＦＮＳユーザに割り当てる、
請求項１８記載の方法。
【請求項２０】
前記ＦＮＳユーザの少なくとも１つは周波数ホッピングユーザであり、各周波数ホッピングＦＮＳユーザに周波数ホッピング係数が割り当てられており、前記周波数ホッピング係数は前記再番号付けされたサブチャネルに基づいている、請求項１８記載の方法。
【請求項２１】
ＯＦＤＭ無線通信システムのＦＳユーザおよびＦＮＳユーザに資源を割り当てる方法であって、
ある時間間隔中、第１の周波数資源を少なくとも１つのＦＳユーザに割り当てること、
同じ時間間隔中、各ＦＮＳユーザに対して少なくとも２つの不連続なサブキャリアを含む第２の周波数資源を、少なくとも１つのＦＮＳユーザに割り当てること、
から成り、
前記第１の周波数資源と前記第２の周波数資源は共通の周波数チャネルの一部である
方法。
【請求項２２】
少なくとも１つのＦＳユーザから受信した周波数信号品質情報報告に基づいて、前記第１の周波数資源を少なくとも１つのＦＳユーザに割り当てる、請求項２１記載の方法。
【請求項２３】
対応して割り当てられた前記第２の周波数資源上の前記各ＦＮＳユーザに対するチャネル符号化およびデータのインターリービングが行われる、請求項２１記載の方法。
【発明の詳細な説明】
【技術分野】
【０００１】
本開示は、一般に無線マルチキャリア通信に関し、特に、周波数選択性（ＦＳ）と周波数非選択性（ＦＮＳ）の両スケジューリング技術を利用している通信端末装置を備えた無線マルチキャリア通信システムにおける資源配分、装置、および方法に関する。
【背景技術】
【０００２】
周波数選択性（ＦＳ）技術は、無線マルチキャリア通信システムの性能を著しく向上させる可能性を持っている。そのような技術が現在開発途上の３ＧＰＰ  Ｅｖｏｌｖｅｄ−ＵＴＲＡ規格に含まれることが期待されている。ＦＳ技術は、例えば、変調および符号化方式を周波数によって変更することにより、チャネルの周波数プロファイルの知識に基づいて、システム性能を改善する。それと対照的に、周波数非選択（ＦＮＳ）技術は、周波数平均的チャネルの品質情報報告を用いている。
【発明の開示】
【発明が解決しようとする課題】
【０００３】
ＦＳ技術は、一般に、ネットワークのすべてのユーザ装置（ＵＥ）に適用することはできない。例えば、比較的高い速度で移動するユーザ装置のチャネルの時間変動を追跡するのは難しい。いくつかのシステム基地局は、ユーザのサブセットだけにＦＳ技術を適用し、通信費用を制限することができる。フラットフェージング状態の、またはその条件に近いＵＥも、チャネルの特性上ＦＳ技術を用いる必要性はない場合がある。ＦＳ技術は、複数アンテナ技術を用いるＵＥにも必要ではない場合がある。したがって、ＦＳユーザおよびＦＮＳユーザは、多くの無線通信システムで共存する可能性がある。したがって、ＦＳユーザおよびＦＮＳユーザの両方に適合可能な、資源割り当てスキームおよび対応信号方式が必要である。
【課題を解決するための手段】
【０００４】
上記問題点を解決するために、請求項１に記載の発明は、ＯＦＤＭ無線通信システムのＦＳユーザおよびＦＮＳユーザに資源を割り当てる方法であって、ある時間間隔中、少なくとも２つの近接するサブキャリアを含む第１の周波数資源を、少なくとも１つのＦＳユーザに割り当てること、同じ時間間隔中、各ＦＮＳユーザに対して少なくとも２つの不連続なサブキャリアを含む第２の周波数資源を、少なくとも１つのＦＮＳユーザに割り当てること、から成り、前記第１の周波数資源と前記第２の周波数資源が共通の周波数チャネルの一部である方法を要旨とする。
【０００５】
請求項２に記載の発明は、請求項１記載の方法において、前記近接する２つのサブキャリアは隣接していることを要旨とする。
請求項３に記載の発明は、請求項１記載の方法において、前記近接する２つのサブキャリアは１つ以下のサブキャリアによって分離されていることを要旨とする。
【０００６】
請求項４に記載の発明は、請求項１記載の方法において、前記各ＦＮＳユーザに割り当てられる前記第２の周波数資源の少なくとも２つの不連続なサブキャリアは、前記共通の周波数チャネルの少なくとも４分の１によって分離されていることを要旨とする。
【０００７】
請求項５に記載の発明は、請求項４記載の方法において、対応して割り当てられる前記第２の周波数資源上の前記各ＦＮＳユーザに対するチャネル符号化およびデータのインターリービングが行われることを要旨とする。
【０００８】
請求項６に記載の発明は、請求項１記載の方法において、前記第２の周波数資源を少なくとも１つのＦＮＳユーザに割り当てる前に、前記第１の周波数資源を少なくとも１つのＦＳユーザに割り当てることを要旨とする。
【０００９】
請求項７に記載の発明は、請求項６記載の方法において、少なくとも１つのＦＳユーザから受信した周波数信号品質情報報告に基づいて、前記第１の周波数資源を少なくとも１つのＦＳユーザに割り当てることを要旨とする。
【００１０】
請求項８に記載の発明は、請求項６記載の方法において、前記第２の周波数資源を少なくとも１つのＦＮＳユーザに割り当てる前に、前記第１の周波数資源をすべてのＦＳユーザに割り当てることを要旨とする。
【００１１】
請求項９に記載の発明は、請求項１記載の方法において、複数のＦＳユーザのそれぞれに前記第１の周波数資源を割り当て、前記第１の周波数資源を前記複数のＦＳユーザのそれぞれに割り当てた後に、前記第２の周波数資源を少なくとも１つのＦＮＳユーザに割り当てることを要旨とする。
【００１２】
請求項１０に記載の発明は、請求項１記載の方法において、前記第１の周波数資源を少なくとも１つのＦＳユーザに割り当てる前に、前記第２の周波数資源を少なくとも１つのＦＮＳユーザに割り当てることを要旨とする。
【００１３】
請求項１１に記載の発明は、請求項１０記載の方法において、前記第２の周波数資源を、周波数ダイバーシティを改善する方法で少なくとも１つのＦＮＳユーザに割り当てることを要旨とする。
【００１４】
請求項１２に記載の発明は、無線通信ネットワークのＦＳユーザおよびＦＮＳユーザにサブチャネルを割り当てる制御チャネル構成であって、少なくとも１つのＦＳユーザを識別するＦＳユーザ割り当てブロックと、少なくとも１つのＦＮＳユーザを識別するＦＮＳユーザ割り当てブロックと、各ＦＮＳユーザに割り当てられる第１の固有のサブチャネルと、前記各ＦＮＳユーザに割り当てられる多くの固有のサブチャネルと、前記各ＦＮＳユーザに対するサブチャネルスキップ係数と、を備え、割り当てを持つ前記ＦＳユーザ割り当てブロックおよび前記ＦＮＳユーザ割り当てブロックが共通の時間間隔を占めることを要旨とする。
【００１５】
請求項１３に記載の発明は、請求項１２記載の構成において、各ＦＳユーザに割り当てられる少なくとも１つのサブチャネルを含む第１の固有のリストを備え、前記各ＦＳユーザに割り当てられる各サブチャネルが少なくとも２つの近接するサブキャリアを含むことを要旨とする。
【００１６】
請求項１４に記載の発明は、請求項１２記載の構成において、ＦＳ資源を識別する領域をさらに含むことを要旨とする。
請求項１５に記載の発明は、請求項１２記載の構成において、前記構成は、前記ＦＳユーザおよびＦＮＳユーザが共に資源を配分されたかどうかを示す領域を含むことを要旨とする。
【００１７】
請求項１６に記載の発明は請求項１２記載の構成において、前記各ＦＮＳユーザに割り当てられる各サブチャネルは、少なくとも１つのサブキャリアを含み、前記各ＦＮＳユーザに割り当てられるサブチャネルは、前記ＦＳユーザに割り当てられなかったサブチャネルの群から選択されることを要旨とする。
【００１８】
請求項１７に記載の発明は、請求項１２記載の構成において、前記各ＦＮＳユーザに対して、前記第１の固有のサブチャネル、前記多くの固有のサブチャネル、および前記サブチャネルスキップ係数がツリー構造に配置されることを要旨とする。
【００１９】
請求項１８に記載の発明は、無線通信ネットワークのＦＳユーザおよびＦＮＳユーザにサブチャネルを割り当てる制御チャネル構成を生成する方法であって、サブチャネルを任意のＦＮＳユーザに割り当てる前に、一群のサブチャネルから少なくとも１つの固有のサブチャネルを各ＦＳユーザに割り当てること、第１の固有のサブチャネル、多くの固有のサブチャネル、およびサブチャネルスキップ係数を各ＦＮＳユーザに割り当てること、から成り、前記各ＦＮＳユーザに割り当てられるサブチャネルは、ＦＳユーザへのサブチャネルの割り当ての後に残った一群のサブチャネルから選択されることを要旨とする。
【００２０】
請求項１９に記載の発明は、請求項１８記載の方法において、前記ＦＳユーザへのサブチャネルの割り当ての後に残ったサブチャネルの群に再番号付けを行い、前記再番号付けされたサブチャネルに基づいて、前記第１の固有のサブチャネル、前記多くの固有のサブチャネル、および前記サブチャネルスキップ係数を前記各ＦＮＳユーザに割り当てることを要旨とする。
【００２１】
請求項２０に記載の発明は、請求項１８記載の方法において、前記ＦＮＳユーザの少なくとも１つは周波数ホッピングユーザであり、各周波数ホッピングＦＮＳユーザに周波数ホッピング係数が割り当てられており、前記周波数ホッピング係数は前記再番号付けされたサブチャネルに基づいていることを要旨とする。
【００２２】
請求項２１に記載の発明は、ＯＦＤＭ無線通信システムのＦＳユーザおよびＦＮＳユーザに資源を割り当てる方法であって、ある時間間隔中、第１の周波数資源を少なくとも１つのＦＳユーザに割り当てること、同じ時間間隔中、各ＦＮＳユーザに対して少なくとも２つの不連続なサブキャリアを含む第２の周波数資源を、少なくとも１つのＦＮＳユーザに割り当てること、から成り、前記第１の周波数資源と前記第２の周波数資源は共通の周波数チャネルの一部であることを要旨とする。
【００２３】
請求項２２に記載の発明は、請求項２１記載の方法において、少なくとも１つのＦＳユーザから受信した周波数信号品質情報報告に基づいて、前記第１の周波数資源を少なくとも１つのＦＳユーザに割り当てることを要旨とする。
【００２４】
請求項２３に記載の発明は、請求項２１記載の方法において、対応して割り当てられた前記第２の周波数資源上の前記各ＦＮＳユーザに対するチャネル符号化およびデータのインターリービングが行われることを要旨とする。
【００２５】
本開示の種々の態様、特徴、および利点は、本開示の次の「発明を実施するための最良の形態」と下記に説明する添付の図面とを熟慮すれば、当業者にとってさらに十分に明白にされるであろう。図面は明瞭さを目的として単純化されており、必ずしも正しい縮尺で描かれているものではない。
【発明を実施するための最良の形態】
【００２６】
図１において、例証的な無線通信システム１００は複数の基地局１１０を有し、基地局１１０は、対応するセル領域に対する無線通信サービスを無線通信局（例えばモバイル端末１１２）に提供する。１つまたは２つ以上の基地局は、一般に、当業者により一般に知られているような移動交換局および別のゲートウェイに通信可能に接続できる、対応する制御装置に通信可能に接続している。基地局は各々、無線資源をネットワークと通信するユーザに配分する、スケジューリングエンティティを含んでいる。
【００２７】
上記「背景技術」の説明の中で示唆しているように、周波数選択性（ＦＳ）ユーザおよび周波数非選択性（ＦＮＳ）ユーザは、多くの無線通信システムにおいて、共存する可能性がある。典型的なシステムは、現在開発途上の３ＧＰＰ  Ｅｖｏｌｖｅｄ−ＵＴＲＡ規格に準拠のシステムと、別の直交周波数分割多重（ＯＦＤＭ）無線通信システムとを含んでいるが、これに限定されるものではない。ＦＳユーザおよびＦＮＳユーザの両方を支援するこれらおよび別の無線通信システムにおいて、スケジューリングエンティティは、一般に、通常モバイル端末またはＵＥの形式であるシステムユーザに、資源を配分する必要がある。いくつかの資源配分方式については、以下にさらに論じる。
【００２８】
一実施形態において、資源は、例えばＦＳユーザとＦＮＳユーザとを有するＯＦＤＭシステムまたは別の無線通信システムの、周波数選択性（ＦＳ）ユーザと周波数非選択性（ＦＮＳ）ユーザとに割り当てられる。一実施形態において、第１の周波数資源は、ワンタイム間隔中に、少なくとも１つのＦＳユーザに割り当てられ、少なくとも２つの不連続のサブキャリアを含む第２の周波数資源は、ＦＳの割り当てがなされるのと同じ時間間隔中に、少なくとも１つのＦＮＳユーザに割り当てられる。一実施形態において、第１の周波数資源と第２の周波数資源は共通の周波数チャネルの一部である。
【００２９】
各ＦＳユーザに割り当てられる第１の周波数資源は、少なくとも２つの近接するサブキャリアを含んでいる。一実施形態において、近接するサブキャリアは隣接しているか、または１つ以下のサブキャリアによって分離されている。より一般には、第１の周波数資源は付加的なサブキャリアを含んでいてもよいが、これらの付加的なサブキャリアは必ずしも近接している必要はない。各ＦＮＳユーザに割り当てられる第２の周波数資源は、少なくとも２つの不連続なサブキャリアを含んでいる。いくつかの実施形態において、第２の周波数資源は、必ずしも不連続でない付加的なサブキャリアも含むことができる。別の実施形態において、各ＦＮＳユーザに割り当てられる第２の周波数資源の少なくとも２つの不連続のサブキャリアは、共通の周波数チャネルの少なくとも４分の１によって分離されている。
【００３０】
基地局は、対応して割り当てられた第２の周波数資源上の各ＦＮＳユーザに対するチャネル符号化およびデータのインターリービングを行う。ＦＳユーザに対するチャネル符号化およびインターリービングはサブチャネル単位であってもよい。ＦＳユーザに対するコード化およびインターリービングは、サブチャネル単位であってもよく、またはユーザに割り当てられた複数のサブチャネル全体にわたってであってもよい。例えば、ＦＳユーザに割り当てられたサブチャネルがすべて同等のチャネル品質を持っている場合、これらのサブチャネルにすべて同一の変調および符号化レートを割り当てることができ、または、より大きな符号語を形成するために、共にコード化されインターリーブされてもよい。あらゆる場合において、最大の符号語サイズを課すことができ、ある場合には、複数の符号語がＦＳユーザまたはＦＮＳユーザのいずれかを保護するために必要とされ得る。
【００３１】
図２において、無線フレーム２００は複数のシンボル（０−６）を含んでおり、そこで、時間は水平軸に沿っていて、周波数は垂直軸に沿っている。例証的なフレーム２００は、８つのサブチャネルを含む共通の周波数チャネルを構成し、そのうちの１つのサブチャネル２１０が識別される。図２において、各サブチャネルは８つのサブキャリアを含んでおり、そのうちの１つのサブキャリア２１２だけが識別されている。別の実施形態において、フレームはシンボルを多かれ少なかれ含んでいてもよい。フレームはサブチャネルも多かれ少なかれ持っていてもよく、各サブチャネルは、図２に示されるサブキャリアを多かれ少なかれ持っていてもよい。図２において、第１のシンボル２２０は制御／パイロットシンボルである。一実施例において、シンボル２２０の周波数領域の隣接したサブキャリアは、パイロットと制御機能に交互に割り当てられる。別の実施形態において、別のパイロットおよび制御の割り当て方式が行われてもよい。
【００３２】
１つの資源配分方式では、サブチャネルはすべて、異なるＦＳユーザに割り当てられ、１つまたは２つ以上サブキャリアは、１つまたは２つ以上のＦＮＳユーザへの割り当てのために、各サブチャネルからパンクチャされる。図２において、例えば、サブチャネル２３０、２３２、および２３４が第１のＦＳユーザに割り当てられ、サブチャネル２４０および２４２が第２のＦＳユーザに割り当てられ、サブチャネル２５０、２５２、および２５４が第３のＦＳユーザを割り当てられる。ＦＳユーザに割り当てられたサブキャリアの少なくとも２つは近接している。図２において、ＦＳユーザに割り当てられた各サブチャネルのサブキャリア、すなわちサブキャリア２６１から２６８は、単一のＦＮＳユーザに割り当てられる。１つの割り当て方式において、サブチャネルは、まずＦＳユーザに割り当てられ、次にサブキャリアは、ＦＳユーザに割り当てられるサブチャネルからパンクチャされて、１つまたは２つ以上ＦＮＳユーザに割り当てられる。パンクチャリングの際、ＦＳユーザに割り当てられたサブキャリアは、一般に、各サブチャネル内のいくつかのサブキャリアによって分離することができる。ユーザ（ＦＳまたはＦＮＳ）の１つの集合に対するユーザ割り当てが、ユーザ（ＦＮＳまたはＦＳ）の別の集合に割り当てられる前に、一群のサブチャネルから行われるいくつかの実施形態において、残りのサブチャネルは、別のユーザに資源を割り当てる前に再番号付けされる。ただし、残りの資源の再番号付けは必要ではない。
【００３３】
図２の資源配分方式において、第１の周波数資源は、ＦＮＳユーザに第２の周波数資源を割り当てる前に、すべてのＦＳユーザに割り当てられる。一実施形態において、第１の周波数資源は、ＦＳユーザから受信した周波数信号品質情報報告に基づいて、ＦＳユーザに割り当てられる。別の実施形態において、第２の周波数資源は、すべてのＦＳユーザに第１の周波数資源を割り当てる前に、すべてのＦＮＳユーザに割り当てられる。第２の周波数資源は、周波数ダイバーシティを改善する方法でＦＮＳユーザに割り当てられる。ＦＮＳユーザ割り当てはインターリービング技術またはＯＶＦＳツリー割り当て技術に基づいていてもよい。
【００３４】
図３において、資源は、別の方式に従って、周波数選択性（ＦＳ）ユーザと周波数非選択（ＦＮＳ）ユーザとを有するＯＦＤＭまたは別の無線通信システムのＦＳユーザとＦＮＳユーザとに割り当てられる。第１の周波数資源は、ある時間間隔中に、１つまたは２つ以上のＦＳユーザに割り当てられ、第２の周波数資源は、ＦＳユーザに第１の周波数資源を割り当てた後、同じ時間間隔中に、１つまたは２つ以上のＦＮＳユーザに割り当てられ、該第２の周波数資源は、各ＦＮＳユーザに対して、少なくとも２つの不連続なサブチャネルを含み、第１の周波数資源と第２の周波数資源は共通の周波数チャネルの一部である。図３において、例えば、サブチャネル３１２、３１４、および３１６は、まずＦＳユーザに割り当てられる。その後、不連続なサブチャネル３２０および３２２が第１のＦＮＳユーザに割り当てられ、不連続なサブチャネル３３０および３３２は別のＦＮＳユーザに割り当てられる。上記説明のように、第１の周波数資源は、ＦＳユーザから受信した周波数信号品質情報報告に基づいて、１つまたは２つ以上のＦＳユーザに割り当てられてもよく、第２の周波数資源は、周波数ダイバーシティを改善する方法でＦＮＳユーザに割り当てられてもよい。
【００３５】
図４はサブチャネルが、異なるＦＳユーザに割り当てられ、別のサブチャネルのサブキャリアが同じ時間間隔中にＦＮＳユーザに割り当てられ、第１の周波数資源と第２の周波数資源が共通の周波数チャネルの一部である、別の資源配分方式を示している。詳しくは、サブチャネル４１０、４１２、４１４、および４１６は、ワンタイム間隔中に、単一のＦＳユーザに割り当てられる。ＦＳユーザに割り当てられたサブチャネルは、サブチャネル内のサブキャリアの近接特性により、少なくとも２つの近接するサブキャリアを含んでいる。サブチャネル４２５、４２７、４２９、および４３１のサブキャリア４２０、４２２、４２４、４２８、４３０、４３２、４３４、４３６、４３８、および４４０は、ＦＮＳユーザに割り当てられる。サブチャネル４２５、４２７、４２９、および４３１の残りのサブキャリアは、別のＦＮＳユーザに割り当てられてもよい。ＦＮＳユーザに割り当てられたサブキャリアは不連続であり、したがって周波数が異なっている。
【００３６】
図５は、サブチャネル５１０、５１２、５１４、５１６、および５１８がワンタイム間隔中に単一のＦＳユーザに割り当てられる、別の特定の実施形態を示している。ＦＳユーザに割り当てられたサブチャネルは、サブチャネル内のサブキャリアの近接によって、少なくとも２つの近接するサブキャリアを含んでいる。サブチャネル５３０のサブキャリア５２０、５２２、および５２４、およびサブチャネル５３２および５３４のサブキャリアは、１つのＦＮＳユーザに割り当てられている。サブチャネル５３０、５３２、および５３４の残りのサブキャリアは、別のＦＮＳユーザに割り当てられている。ＦＮＳユーザに割り当てられたサブキャリアは不連続であり、したがって周波数が異なっている。
【００３７】
一般に、ＦＳユーザおよびＦＮＳユーザにサブチャネルを割り当てる制御チャネル構成は、１つまたは２つ以上のＦＳユーザを識別するＦＳユーザ割り当てブロックと、１つまたは２つ以上のＦＮＳユーザ、およびそれに割り当てられる１つまたは２つ以上サブチャネルを識別するＦＮＳユーザ割り当てブロックとを含んでいる。ＦＮＳユーザ割り当てブロックは、各ＦＮＳユーザに割り当てられる第１の固有のサブチャネルと、各ＦＮＳユーザに割り当てられる多くの固有のサブチャネルと、各ＦＮＳユーザに対するサブチャネルスキップ係数をも含んでいる。一実施形態において、各ＦＮＳユーザに割り当てられた各サブチャネルは、少なくとも１つのサブキャリアを含んでおり、各ＦＮＳユーザに割り当てられるサブチャネルは、ＦＳユーザに割り当てられなかったサブチャネルの群から選択される。
【００３８】
ＦＳユーザ割り当てブロックおよびＦＮＳユーザ割り当てブロックは、図２に示した例えば制御／パイロットシンボル２２０において、共通の時間間隔を占める。例えば図３において、１つのＦＮＳユーザに割り当てられる第１のサブチャネルは、サブチャネル３２０であり、同一ＦＮＳユーザに割り当てられる次のサブチャネル３２２は、第１のサブチャネルから４つ離れたサブチャネルなので、サブチャネル番号オフセット、すなわちスキップ係数は４である。同一ユーザに割り当てられたサブチャネルの数は２である。割り当てられる第１のサブチャネルは、開始チャネル番号として制御チャネル上で送信されるか、または共通の周波数チャネルにオフセットされるように、割り当ての中で示されてもよい。例えば、サブチャネル３２０は、第１のサブチャネルが０とラベル付けされた場合には、オフセット１として示され、第１のサブチャネルが１とラベル付けされた場合には、オフセット２として示すことができる。オフセットおよびスキップ係数は、割り当てメッセージにおいて個別の領域を占領してもよく、または同一ビット合計数を用いるように合同でコード化することもできる。図３に関する別の実施形態において、ＦＳユーザへのサブチャネル割り当ての後、第２の周波数資源割り当てに対応する残りのサブチャネル３２０、３３０、３２２、および３３２は、スキップ係数が２つのＦＮＳユーザの各々に対して１であるが、各ＦＮＳユーザが第１のＦＮＳユーザに対して０、第２のＦＮＳユーザに対して１の異なったサブチャネルオフセットを持つように、０、１、２、３と再番号付けされる。
【００３９】
別の実施形態において、ＦＮＳユーザ割り当てブロックは、各ＦＮＳユーザに割り当てられる第１の固有のサブキャリアと、各ＦＮＳユーザに割り当てられる多くの固有のサブキャリアと、各ＦＮＳユーザに対するサブキャリアスキップ係数とを含んでいてもよい。図４は、サブチャネルではなく、サブキャリアがＦＮＳユーザに割り当てられる例を示している。図３に関する別の実施形態において、ＦＳユーザへのサブチャネル割り当ての後、第２の周波数資源割り当てに対応する残りのサブチャネル３２０、３３０、３２２、および３３２は、スキップ係数が２つのＦＮＳユーザの各々に対して１であるが、各ＦＮＳユーザが第１のＦＮＳユーザに対して０、第２のＦＮＳユーザに対して１の異なったサブチャネルオフセットを持つように、０、１、２、３と再番号付けされる。さらに以下に説明するように、ＦＳおよびＦＮＳユーザ割り当ては、制御チャネルでユーザに送信される。
【００４０】
一実施形態において、制御チャネル構成は、各ＦＳユーザに割り当てられる少なくとも１つのサブチャネルを含む第１の固有のリストを含んでおり、該各ＦＳユーザに割り当てられる各サブチャネルは、上記説明のように、少なくとも２つの近接するサブキャリアを含んでいる。別の実施形態において、制御チャネル構成は、ＦＳ資源を識別する領域を含んでいる。この領域は、ＦＳ資源とＦＮＳ資源を識別するビットマップの形式であってもよく、特定の資源がＦＳユーザまたはＦＮＳユーザに割り当てられているかどうかを示すために、「１」または「０」を用いることができる。別の実施形態において、制御チャネル構成は、ＦＳユーザおよびＦＮＳユーザが共に資源を配分されたかどうかを示す領域を含んでいる。例えば、フレームの最初の「１」ビットを使用して、割り当てが混在していることを示してもよい。別の実施形態において、そのようなビットを使用して、割り当てすべてが、すべてのＦＮユーザまたはＦＮＳユーザのいずれかに対してであることを示すこともできる。一般に、ＦＳおよびＦＮＳユーザ割り当てブロックは、ビットマップまたはツリー構造であれ、およびＣＲＣ、テールビット等を含む別の任意のデータの形式であれ、当業者に周知の手段やスキームを使用して制御チャネルにマップされる。
【００４１】
一実施形態において、制御チャネル構成は、サブチャネルを任意のＦＮＳユーザに割り当てる前に、一群のサブチャネルから少なくとも１つの固有のサブチャネルを各ＦＳユーザに割り当てることにより、サブチャネルをＦＳユーザおよびＦＮＳユーザに割り当て、次に、第１の固有のサブチャネル、多くの固有のサブチャネル、およびサブチャネルスキップ係数を各ＦＮＳユーザに割り当てるように生成される。各ＦＮＳユーザに割り当てられるサブチャネルは、ＦＳユーザへのサブチャネルの割り当ての後に残った一群のサブチャネルから選択される。いくつかの実施形態において、ＦＳユーザへのサブチャネルの割り当て後に残されたサブチャネルの群は再番号付けされ、各ＦＮＳユーザは、再番号付けされたサブチャネルに基づいて、第１の固有のサブチャネル、多くの固有のサブチャネル、およびサブチャネルスキップ係数を割り当てられる。ＦＮＳユーザの１つが周波数ホッピングユーザである周波数ホッピングの応用例において、各周波数ホッピングＦＮＳユーザは、周波数ホッピング係数を割り当てられ、該周波数ホッピング係数は再番号付けされたサブチャネルに基づいている。
【００４２】
本開示およびその最良の実施形態について、発明者による所有を確立し、当業者がそれを製造および使用できるような方法で説明したが、ここに開示された典型的な実施形態に対しては多くの等価物があり、典型的な実施形態によってではなく添付の請求項により限定される本発明の範囲および精神から逸脱することなく、修正および変更がそれに対してなされてもよいことが理解され、認識されるであろう。
【図面の簡単な説明】
【００４３】
【図１】典型的な無線通信ネットワーク。
【図２】ＦＳユーザおよびＦＮＳユーザに割り当てられる資源を有する無線フレームの例。
【図３】ＦＳユーザおよびＦＮＳユーザに割り当てられる資源を有する無線フレームの別の例。
【図４】ユーザおよびＦＮＳユーザに割り当てられる資源を有する無線フレームの別の例。
【図５】ユーザおよびＦＮＳユーザに割り当てられる資源を有する無線フレームの別の例。
【図１】
2007060642.tif 000003
【図２】
2007060642.tif 000004
【図３】
2007060642.tif 000005
【図４】
2007060642.tif 000006
【図５】
2007060642.tif 000007